(57)【要約】【課題】  使用者の眼の周りの皮膚に対し、ミストに基づく潤いを与えながら、緩やかな温度変化による刺激が加わる状態と、伝熱部で皮膚に対し直接熱を伝える状態とを選択でき、機能に対応した必要最小限の構成で、使用者の皮膚に美容に係る効果を最大限与えられるようにする美容装置を提供する。【解決手段】  スペーサ３０で液保持部材４０を支持して、熱源部５０で生じさせた熱を伝熱部２０を介して液保持部材４０のミスト用液に伝え、温められたミストを生じさせ、ミストで眼の周囲の皮膚を温める状態と、伝熱部２０を直接皮膚に接触させ、皮膚を温める状態とを選択可能とすることから、使用状況に応じて加温状態を選択でき、ミストで皮膚を温める場合には、眼の周囲に湿分の十分に存在する環境を維持した状態で温熱効果を与えることができ、眼の周囲の皮膚で潤いを確実に保持しながら血行を促進して美容効果を向上させられる。【選択図】  図５
2016022017.tif 000002
【特許請求の範囲】
【請求項１】
使用者の顔における眼及び眼の周囲の皮膚を被覆して配置され、美容に係る所定の刺激を使用者の少なくとも眼の周囲の皮膚に付与する美容装置において、
顔に面する側が顔の眼周囲部分の表面形状にほぼ沿った曲面形状とされ、眼及び眼の周囲の皮膚の正面側に位置する装置本体部と、
当該装置本体部の眼に対向する側に設けられる熱伝導性材料製の伝熱部と、
当該伝熱部に対し熱伝導可能に接触して装置本体部に内蔵され、使用者の操作に基づいて少なくとも発熱可能とされる熱源部と、
前記装置本体部の眼に対向する側における伝熱部周囲に取付け取外し可能として設けられ、装置本体部への取付け状態で使用者の少なくとも眼の周囲の皮膚の被覆対象部分外縁に接触可能とされる断熱材製のスペーサと、
当該スペーサの装置本体部への取付状態でスペーサに支持されることで伝熱部近傍に配設可能とされ、所定のミスト用液を保持する多孔質材製の液保持部材と、
液保持部材の保持するミスト用液をミストとして空間に浮遊する状態とするミスト生成部とを備え、
前記スペーサを装置本体部に取付けると共に液保持部材を伝熱部近傍に配設した状態では、発熱する熱源部から伝熱部に伝わった熱がさらに伝熱部から液保持部材のミスト用液に伝わり、熱でミスト用液が温められ、当該ミスト用液に基づいて温まったミストが生成され、当該ミストが眼周囲の皮膚に接触し、
前記スペーサを装置本体部に取付けていない状態、及び／又は、スペーサを装置本体部に取付ける一方で液保持部材を伝熱部近傍に配設しない状態では、眼の周囲の皮膚のうち少なくとも眼下側の部分の皮膚に伝熱部が直接接触して、発熱する熱源部から伝熱部に伝わった熱がさらに伝熱部から皮膚に伝わることを
特徴とする美容装置。
【請求項２】
前記請求項１に記載の美容装置において、
前記液保持部材が、薄いシート状又は板状に形成され、前記スペーサに支持されて伝熱部と眼との間の所定位置に配設され、
前記伝熱部が、前記ミスト生成部を兼ね、液保持部材各部に保持されたミスト用液に熱を伝え、ミスト用液を伝熱部からの熱で蒸発させてミストとすることを
特徴とする美容装置。
【請求項３】
前記請求項２に記載の美容装置において、
前記液保持部材が、網目状に多数の孔を有するメッシュ体とされ、メッシュ体各部の孔にミスト用液を保持する構造とされ、前記スペーサに一体に取付けられて、スペーサの装置本体部への取付状態で伝熱部近傍に配設されることを
特徴とする美容装置。
【請求項４】
前記請求項２に記載の美容装置において、
前記液保持部材が、可撓性を有する多孔質材製のシート体とされ、前記スペーサの装置本体部への取付状態でスペーサと装置本体部及び／又は伝熱部との間に挟まれて支持されることを
特徴とする美容装置。
【請求項５】
前記請求項２ないし３のいずれかに記載の美容装置において、
前記液保持部材の、使用者の少なくとも眼の周囲の皮膚のうち眼下側部分の正面側に位置する部位が、伝熱部に添う配置とされ、伝熱部から熱を伝えられることを
特徴とする美容装置。
【請求項６】
前記請求項１ないし５のいずれかに記載の美容装置において、
前記熱源部が、使用者の操作に基づいて吸熱可能とされ、吸熱状態で伝熱部の温度を下げて、伝熱部に接する皮膚又は周囲雰囲気を冷やすことを
特徴とする美容装置。
【請求項７】
前記請求項６に記載の美容装置において、
前記液保持部材を伝熱部近傍に配設した状態で、熱源部を発熱させ、熱源部から伝わる熱で温まる伝熱部で、液保持部材のミスト用液を加熱し、ミストが生じてから所定時間経過後、熱源部を吸熱状態とし、伝熱部の温度を下げて、伝熱部に接する雰囲気温度を低下させると共に浮遊するミストを冷やすことを
特徴とする美容装置。
【請求項８】
前記請求項１ないし７のいずれかに記載の美容装置において、
前記スペーサが、装置本体部への取付状態で使用者の眼より下側に位置する部分に、液滴受部を設けられてなり、
スペーサが、液保持部材を伝熱部近傍に配設してミストを生成する状態で、液滴として流れ落ちるミスト由来の液分を前記液滴受部に貯溜可能とされることを
特徴とする美容装置。
【請求項９】
使用者の顔における眼及び眼の周囲の皮膚を被覆して配置され、美容に係る所定の刺激を使用者の少なくとも眼の周囲の皮膚に付与する美容装置において、
顔に面する側が顔の眼周囲部分の表面形状にほぼ沿った曲面形状とされ、眼及び眼の周囲の皮膚の正面側に位置する装置本体部と、
当該装置本体部の眼に対向する側に設けられる熱伝導性材料製の伝熱部と、
当該伝熱部に対し熱伝導可能に接触して装置本体部に内蔵され、使用者の操作に基づいて少なくとも発熱可能とされる熱源部と、
前記装置本体部の眼に対向する側における伝熱部周囲に、装置本体部に対し進退して突出量調整可能に突出配設され、装置本体部からの突出状態で使用者の少なくとも眼の周囲の皮膚の被覆対象部分外縁に接触可能とされる断熱材製のスペーサと、
当該スペーサの装置本体部からの突出状態でスペーサに対し取付け取外し可能とされ、スペーサへの取付け状態で伝熱部近傍に位置して、所定のミスト用液を保持する多孔質材製の液保持部材と、
液保持部材の保持するミスト用液をミストとして空間に浮遊する状態とするミスト生成部とを備え、
前記スペーサを装置本体部から突出させると共に液保持部材をスペーサに取付けた状態では、熱源部から伝熱部に伝わった熱がさらに伝熱部から液保持部材のミスト用液に伝わり、熱でミスト用液が温められ、当該ミスト用液に基づいて温まったミストが生成され、当該ミストが眼周囲の皮膚に接触し、
前記スペーサを装置本体部から突出させていない状態では、眼の周囲の皮膚のうち少なくとも眼下側の部分の皮膚に伝熱部が直接当接して、熱源部から伝熱部に伝わった熱がさらに伝熱部から皮膚に伝わることを
特徴とする美容装置。
【発明の詳細な説明】
【技術分野】
【０００１】
本発明は、使用者の皮膚、特に眼の周囲、いわゆる目元部分の皮膚、に対し所定の美容に係る効果を与える美容装置に関する。
【背景技術】
【０００２】
使用者の顔等の肌（皮膚）に対し所定の美容・美肌に係る各種動作を実行する美容装置は、家庭で用いられる簡易な単機能、低出力のものから、業務用として用いられる多機能、高出力のものまで、様々な種類のものが利用されている。こうした美容装置のうち、家庭等で用いられる簡易なものとしては、皮膚を冷したり加熱したりするもの、皮膚に対し吸引を行うもの、皮膚にスチームやミストを当てるもの、皮膚に光を照射するもの、皮膚に超音波による振動を伝えるもの、皮膚に微弱電流を流してイオン導入（イオントフォレーシス）を行うもの、あるいは、皮膚に微弱電流を流して微細な汚れを除去（クレンジング）するものなどが一般的に使用されている。
【０００３】
特に、近年、使用者の眼前に保持した器具でスチーム（ミスト）を発生させ、そのスチームが眼の周りの皮膚に当たるようにして、スチームの保有する熱で皮膚をゆっくり温めながら、皮膚の乾燥を抑え、潤いを与えるものが知られている。こうした従来の美容装置の一例として、特開２０１１−２４４９２２号公報に開示されるものがある。
【先行技術文献】
【特許文献】
【０００４】
【特許文献１】特開２０１１−２４４９２２号公報
【発明の概要】
【発明が解決しようとする課題】
【０００５】
従来の美容装置は前記特許文献に示される構成となっており、こうした装置では、スチーム（ミスト）を発生させるために、スチームとして蒸発させる水を保持する部分に対し、発熱体に通電するなどして熱を加える仕組みとなっている。使用の際には、通常、装置本体部を対象となる眼の周りの皮膚に当てた上で、皮膚に対しスチームを発生させ、皮膚に温感を与える操作を使用者が行うこととなる。
【０００６】
そして、前記特許文献に示される従来の装置は、直接皮膚に接して温熱を付与する部分を有しており、ミスト発生用のヒーターとは別に、直接皮膚に温熱を付与するためのヒーターを備えている。
【０００７】
各ヒーターは同時に作動し、ミストによる温熱付与と皮膚接触部分からの直接的な温熱付与が合わせて実行され、いずれか一方のみを用いることはできない。使用者が一方のみ使用したい場合でも、一方を単独で使用することはできないことに加え、常に二つの温熱付与部分を一体に有する構造となっているため、装置が嵩張り、持ち運びや使い勝手の点で問題が大きいという課題を有していた。
【０００８】
本発明は前記課題を解消するためになされたもので、使用者の眼の周りの皮膚に対し、ミストに基づく潤いを与えながら、緩やかな温度変化による刺激が加わる状態と、伝熱部で皮膚に対し直接熱を伝導する状態とを選択でき、機能に対応した必要最小限の構成で、使用者の皮膚に美容に係る効果を最大限与えられるようにする美容装置を提供することを目的とする。
【課題を解決するための手段】
【０００９】
（１）
本発明の開示に係るする美容装置は、使用者の顔における眼及び眼の周囲の皮膚を被覆して配置され、美容に係る所定の刺激を使用者の少なくとも眼の周囲の皮膚に付与する美容装置において、顔に面する側が顔の眼周囲部分の表面形状にほぼ沿った曲面形状とされ、眼及び眼の周囲の皮膚の正面側に位置する装置本体部と、当該装置本体部の眼に対向する側に設けられる熱伝導性材料製の伝熱部と、当該伝熱部に対し熱伝導可能に接触して装置本体部に内蔵され、使用者の操作に基づいて少なくとも発熱可能とされる熱源部と、前記装置本体部の眼に対向する側における伝熱部周囲に取付け取外し可能として設けられ、装置本体部への取付け状態で使用者の少なくとも眼の周囲の皮膚の被覆対象部分外縁に接触可能とされる断熱材製のスペーサと、当該スペーサの装置本体部への取付状態でスペーサに支持されることで伝熱部近傍に配設可能とされ、所定のミスト用液を保持する多孔質材製の液保持部材と、液保持部材の保持するミスト用液をミストとして空間に浮遊する状態とするミスト生成部とを備え、前記スペーサを装置本体部に取付けると共に液保持部材を伝熱部近傍に配設した状態では、発熱する熱源部から伝熱部に伝わった熱がさらに伝熱部から液保持部材のミスト用液に伝わり、熱でミスト用液が温められ、当該ミスト用液に基づいて温まったミストが生成され、当該ミストが眼周囲の皮膚に接触し、前記スペーサを装置本体部に取付けていない状態、及び／又は、スペーサを装置本体部に取付ける一方で液保持部材を伝熱部近傍に配設しない状態では、眼の周囲の皮膚のうち少なくとも眼下側の部分の皮膚に伝熱部が直接接触して、発熱する熱源部から伝熱部に伝わった熱がさらに伝熱部から皮膚に伝わるものである。
【００１０】
このように本発明の開示によれば、スペーサで液保持部材を支持して、熱源部で生じさせた熱を伝熱部を介して液保持部材のミスト用液に伝え、温められたミストを生じさせ、ミストで眼の周囲の皮膚を温める状態と、液保持部材を設けず、伝熱部を直接眼の周りの皮膚に接触させ、皮膚を温める状態とを選択可能とすることにより、使用状況に応じて加温状態を選択でき、ミストで眼の周囲の皮膚を温める場合には、眼の周囲に湿分の十分に存在する環境を維持した状態で温熱効果を与えることができ、眼の周囲の皮膚で潤いを確実に保持しながら血行を促進して美容効果を向上させられる。一方、使用者の皮膚に直接伝熱部を当接させて温熱を付与する場合は、液保持部材やミスト用液を用意する手間が不要となり、簡易且つ速やかに温熱付与を実行でき、リラックス感を損なうことなく温熱による美容効果を得られる。
【００１１】
（２）
また、本発明の開示に係る美容装置は必要に応じて、前記液保持部材が、薄いシート状又は板状に形成され、前記スペーサに支持されて伝熱部と眼との間の所定位置に配設され、前記伝熱部が、前記ミスト生成部を兼ね、液保持部材各部に保持されたミスト用液に熱を伝え、ミスト用液を伝熱部からの熱で蒸発させてミストとするものである。
【００１２】
このように本発明の開示によれば、スペーサに支持される液保持部材に対し、伝熱部がミスト生成部として液保持部材に保持されたミスト用液を蒸発させ、ミストを生成することにより、熱でミスト用液を蒸発させる簡略なミスト発生機構として、伝熱部を直接的な温熱付与とミスト発生の両方に活用でき、装置全体の構造を簡略化でき、コストを抑えられる。
【００１３】
（３）
また、本発明の開示に係る美容装置は必要に応じて、前記液保持部材が、網目状に多数の孔を有するメッシュ体とされ、メッシュ体各部の孔にミスト用液を保持する構造とされ、前記スペーサに一体に取付けられて、スペーサの装置本体部への取付状態で伝熱部近傍に配設されるものである。
【００１４】
このように本発明の開示によれば、液保持部材をメッシュ体として、スペーサと一体化し、スペーサの取付けに合わせて伝熱部近傍に位置させ、伝熱部からの熱でミスト用液を蒸発可能とすることにより、必要最小限のスペースでミストを発生させられ、装置本体部に液保持部材を設けた状態でも装置全体の小型化が図れると共に、液保持部材におけるミスト用液の保持機構が簡略となり、液保持部材への液導入を容易に行え、使用者にとって取扱いやすく、使い勝手を向上させられる。
【００１５】
（４）
また、本発明の開示に係る美容装置は必要に応じて、前記液保持部材が、可撓性を有する多孔質材製のシート体とされ、前記スペーサの装置本体部への取付状態でスペーサと装置本体部及び／又は伝熱部との間に挟まれて支持されるものである。
【００１６】
このように本発明の開示によれば、液保持部材を多孔質のシート体として、スペーサの取付けに際しスペーサと装置本体部及び／又は伝熱部との間に挟み込むようにして伝熱部近傍に位置させ、伝熱部からの熱でミスト用液を蒸発可能とすることにより、液保持部材を簡略な支持状態で伝熱部近傍に位置させてミストを発生させられ、液保持部材の配置に係る装置本体部及びスペーサの構造をさらに簡略化してコストダウンが図れると共に、液保持部材の伝熱部近傍への配設や液保持部材への液導入を容易に行え、使用者にとって取扱いやすく、使い勝手を向上させられる。
【００１７】
（５）
また、本発明の開示に係る美容装置は必要に応じて、前記液保持部材の、使用者の少なくとも眼の周囲の皮膚のうち眼下側部分の正面側に位置する部位が、伝熱部に添う配置とされ、伝熱部から熱を伝えられるものである。
【００１８】
このように本発明の開示によれば、液保持部材のうち、使用者の眼の下側部分の正面に位置する部位が、伝熱部に添うよう配置され、伝熱部の熱をより効率よく受取ることにより、熱で蒸発して上方へ向かおうとするミストを眼の周囲の皮膚各部に適切に到達させることができ、皮膚へより効率よくミストを供給してミストによる美容効果を一層高められる。また、液の自重により液保持部材の他の部位からミスト用液が下がってきた場合もこれらに熱を伝えて蒸発させることができ、ミスト用液からミストをより確実に生成でき、ミスト用液の有効利用が図れる。
【００１９】
（６）
また、本発明の開示に係る美容装置は必要に応じて、前記熱源部が、使用者の操作に基づいて吸熱可能とされ、吸熱状態で伝熱部の温度を下げて、伝熱部に接する皮膚又は周囲雰囲気を冷やすものである。
【００２０】
このように本発明の開示によれば、吸熱可能な熱源部を用いて伝熱部の温度を下げ、伝熱部周囲の雰囲気や、直接接触した場合の皮膚を冷却することにより、冷えた雰囲気を通じて、又は伝熱部から直接的に、皮膚へ冷感を生じさせ、加温の場合とは異なる刺激を皮膚に与えられ、冷却による皮膚の引締め等の作用に基づくさらなる美容効果が期待できる。
【００２１】
（７）
また、本発明の開示に係る美容装置は必要に応じて、前記液保持部材を伝熱部近傍に配設した状態で、熱源部を発熱させ、熱源部から伝わる熱で温まる伝熱部で、液保持部材のミスト用液を加熱し、ミストが生じてから所定時間経過後、熱源部を吸熱状態とし、伝熱部の温度を下げて、伝熱部に接する雰囲気温度を低下させると共に浮遊するミストを冷やすものである。
【００２２】
このように本発明の開示によれば、発熱状態の熱源部から伝わる熱で伝熱部を温め、伝熱部でミスト用液を蒸発させてミストを発生させた後、熱源部を吸熱状態として、伝熱部の温度が下がるようにし、伝熱部周囲の雰囲気を冷やして雰囲気中のミストを冷却すると、冷えたミストの一部が微小液滴に変化しつつ、こうしたミストや液滴が眼の周囲の皮膚に付着し、皮膚に冷たい感触を与えられることにより、ミストで皮膚周囲の雰囲気の湿り状態を保ち、皮膚の潤いを維持したまま、加温の場合とは異なる刺激を皮膚に与えて皮膚の活性化が図れることとなる。
【００２３】
（８）
また、本発明に係る美容装置は必要に応じて、前記スペーサが、装置本体部への取付状態で使用者の眼より下側に位置する部分に、液滴受部を設けられてなり、スペーサが、液保持部材を伝熱部近傍に配設してミストを生成する状態で、液滴として流れ落ちるミスト由来の液分を前記液滴受部に貯溜可能とされるものである。
【００２４】
このように本発明によれば、スペーサにおける眼より下側となる部分に液滴受部を設け、ミスト生成状態でミストが冷えて液滴となったものをスペーサの液滴受部に流入させて溜めることにより、ミスト由来の液分が皮膚を伝ってそのまま装置外部に流れ出るのを抑えて、使用者の眼の周囲以外の部位や使用者の周囲に液分が達して悪影響を与える事態を未然に防止できる。
【００２５】
（９）
また、本発明に係る美容装置は、使用者の顔における眼及び眼の周囲の皮膚を被覆して配置され、美容に係る所定の刺激を使用者の少なくとも眼の周囲の皮膚に付与する美容装置において、顔に面する側が顔の眼周囲部分の表面形状にほぼ沿った曲面形状とされ、眼及び眼の周囲の皮膚の正面側に位置する装置本体部と、当該装置本体部の眼に対向する側に設けられる熱伝導性材料製の伝熱部と、当該伝熱部に対し熱伝導可能に接触して装置本体部に内蔵され、使用者の操作に基づいて少なくとも発熱可能とされる熱源部と、前記装置本体部の眼に対向する側における伝熱部周囲に、装置本体部に対し進退して突出量調整可能に突出配設され、装置本体部からの突出状態で使用者の少なくとも眼の周囲の皮膚の被覆対象部分外縁に接触可能とされる断熱材製のスペーサと、当該スペーサの装置本体部からの突出状態でスペーサに対し取付け取外し可能とされ、スペーサへの取付け状態で伝熱部近傍に位置して、所定のミスト用液を保持する多孔質材製の液保持部材と、液保持部材の保持するミスト用液をミストとして空間に浮遊する状態とするミスト生成部とを備え、前記スペーサを装置本体部から突出させると共に液保持部材をスペーサに取付けた状態では、熱源部から伝熱部に伝わった熱がさらに伝熱部から液保持部材のミスト用液に伝わり、熱でミスト用液が温められ、当該ミスト用液に基づいて温まったミストが生成され、当該ミストが眼周囲の皮膚に接触し、前記スペーサを装置本体部から突出させていない状態では、眼の周囲の皮膚のうち少なくとも眼下側の部分の皮膚に伝熱部が直接当接して、熱源部から伝熱部に伝わった熱がさらに伝熱部から皮膚に伝わるものである。
【００２６】
このように本発明によれば、装置本体部から突出するスペーサで液保持部材を支持して、熱源部で生じさせた熱を伝熱部を介して液保持部材のミスト用液に伝え、温められたミストを生じさせ、ミストで眼の周囲の皮膚を温める状態と、液保持部材を設けず、伝熱部を直接眼の周りの皮膚に接触させ、皮膚を温める状態とを選択可能とすることにより、使用状況に応じて加温状態を選択でき、ミストで眼の周囲の皮膚を温める場合には、眼の周囲に湿分の十分に存在する環境を維持した状態で温熱効果を与えることができ、眼の周囲の皮膚で潤いを確実に保持しながら血行を促進して美容効果を向上させられる。一方、使用者の皮膚に直接伝熱部を当接させて温熱を付与する場合は、液保持部材やミスト用液を用意する手間が不要となり、簡易且つ速やかに温熱付与を実行でき、リラックス感を損なうことなく温熱による美容効果を得られる。
【図面の簡単な説明】
【００２７】
【図１】本発明の第１の実施形態に係る美容装置の斜視図である。
【図２】本発明の第１の実施形態に係る美容装置における装置本体部のスペーサ取外し状態説明図である。
【図３】本発明の第１の実施形態に係る美容装置におけるスペーサの斜視図である。
【図４】本発明の第１の実施形態に係る美容装置における装置本体部のスペーサ取付け状態説明図である。
【図５】本発明の第１の実施形態に係る美容装置のブロック図である。
【図６】本発明の第１の実施形態に係る美容装置におけるミスト生成を伴う使用状態説明図である。
【図７】本発明の第１の実施形態に係る美容装置における皮膚への伝熱部接触を伴う使用状態説明図である。
【図８】本発明の第１の実施形態に係る美容装置におけるミスト生成を伴う加温モードでの熱源部の電圧及び伝熱部周囲雰囲気の温度の各変化状態説明図である。
【図９】本発明の第１の実施形態に係る美容装置におけるミスト生成を伴う加温及び冷却モードでの熱源部の電圧及び伝熱部周囲雰囲気の温度の各変化状態説明図である。
【図１０】本発明の第１の実施形態に係る美容装置における皮膚への伝熱部接触を伴う加温及び冷却モードでの熱源部の電圧及び伝熱部周囲雰囲気の温度の各変化状態説明図である。
【図１１】本発明の第１の実施形態に係る美容装置における装置本体部の他のスペーサ取付け状態説明図である。
【図１２】本発明の第２の実施形態に係る美容装置におけるミスト生成を伴う使用状態説明図である。
【図１３】本発明の第３の実施形態に係る美容装置におけるスペーサ取付けによる液保持部材支持状態説明図である。
【図１４】本発明の第３の実施形態に係る美容装置における第１の他例の液保持部材支持状態説明図である。
【図１５】本発明の第３の実施形態に係る美容装置における第２の他例の液保持部材支持状態説明図である。
【図１６】本発明の第３の実施形態に係る美容装置における第３の他例の液保持部材支持状態説明図である。
【図１７】本発明の第４の実施形態に係る美容装置における装置本体部に対するスペーサの進退状態説明図である。
【発明を実施するための形態】
【００２８】
（本発明の第１の実施形態）
以下、本発明の第１の実施形態に係る美容装置を前記図１ないし図１０に基づいて説明する。
前記各図において本実施形態に係る美容装置１は、使用者の顔における眼及び眼周囲部の正面側に装着され、眼及び眼周囲部の皮膚を被覆して配置される装置本体部１０と、この装置本体部１０の眼に対向する側に設けられる熱伝導性材料製の伝熱部２０と、装置本体部１０の眼に対向する部位の周囲部分に着脱可能として配設され、眼の周囲の皮膚の被覆対象部分外縁に接触可能とされる断熱材製のスペーサ３０と、この伝熱部近傍の所定箇所に配設される多孔質材製の液保持部材４０と、伝熱部２０に対し熱伝導可能に接触して装置本体部１０に内蔵される熱源部５０とを備える構成である。
【００２９】
前記装置本体部１０は、左右一体のゴーグル状に使用者の左右の眼及び眼の周囲を前方から覆う形状として形成され、左右端部から後頭部側へ回したバンド部１１の締め付け力で使用者の眼前に装着保持されるか、又は、使用者が仰向けに寝た姿勢で眼前に載置保持される構成である。
【００３０】
この装置本体部１０は、プラスチック等からなる硬質の筐体を有しており、その顔面に対向する側には、鼻の形状に合わせて凹部が設けられ、顔面へのフィット性を高めた形状とされる。この装置本体部１０の内部には、前記熱源部５０の他、制御部１２等の電気回路や電源としての電池１３が配設される。なお、この装置本体部１０には、バイブレータ等の振動源を内蔵して、眼の正面側に装着して温熱付与等に使用する際に、合わせて皮膚７０に振動を付加可能とすることもできる。
【００３１】
また、装置本体部１０における上面側には、使用者の入力操作を受けて美容に係る作動のＯＮ、ＯＦＦや作動の種類、強弱等を切換える操作部１４が配設される。この操作部１４としては、電源のＯＮ、ＯＦＦを切替える電源スイッチ１４ａと、伝熱部２０の温度変化など装置作動状態を切替えるモード切替スイッチ１４ｂが配設される。
【００３２】
この装置本体部１０については、熱源部５０における温度変化の影響が、熱伝導により装置本体部の表面に直接及ぶことのないように、筐体は熱を伝えにくい素材製とするのが好ましい。
そして、装置本体部１０における使用者の左右の眼及びその周囲の皮膚に対向する部位には、伝熱部２０がそれぞれ配設される（図２参照）と共に、この伝熱部２０の周囲には、伝熱部２０に対してメッシュ体である液保持部材４０を保持する枠状のスペーサ３０が着脱可能とされる（図３、図４参照）。
【００３３】
前記伝熱部２０は、金属等の良熱伝導性を有する材質からなり、中央部分に眼やまぶたとの接触を避けるための凹部２１を設けられる一方で、眼の周りの皮膚７０に面接触可能な緩やかな曲面を組み合わせた略板形状とされ、装置本体部１０における眼とその周りの皮膚に対向する部位に配設される構成であり、液保持部材４０を設けない場合には、眼の周りの皮膚７０に直接当接させて用いられる。伝熱部２０は、装置本体部１０内で熱源部５０と熱伝導可能に連結されており、熱源部５０の伝熱部寄り部位が発熱状態の場合は温度が上昇し、吸熱状態の場合は温度が低下する仕組みである。
【００３４】
そして、伝熱部２０を用いて眼の周りの皮膚を温めたり冷やしたりする場合には、使用者が本装置を眼前に保持された状態とし、また制御部１２に基づいて熱源部５０が発熱又は吸熱する状態へ移行可能とされた上で、伝熱部２０を直接眼の周りの皮膚７０に接触させる（図７参照）か、伝熱部２０の近傍に水等のミスト用液を保持した液保持部材４０をスペーサ３０と共に配設（図６参照）した上で、熱源部５０を作動させて、伝熱部２０の温度変化を直接、又は雰囲気やミストの温度の変化として、皮膚で感じる状態とする。
【００３５】
前記スペーサ３０は、断熱性のあるシリコンゴム製とされて装置本体部１０の眼対向部位における伝熱部２０の周囲に着脱可能として配設され、装置本体部１０に取り付けた状態では、眼の周囲の皮膚の被覆対象部分外縁に接触可能となる構成である。スペーサ３０は、これを取付けた装置本体部１０を眼及び眼周囲部の正面側に位置させて装置を装着使用する状態で、眼の周囲の皮膚にほぼ密着し、装置本体部１０の伝熱部２０と眼及び眼の周囲の皮膚との間に、ほぼ密閉された空間を生じさせる構成である（図６参照）。
そして、この空間部分に対し、ミスト生成部としての伝熱部２０が、液保持部材４０の保持するミスト用液を蒸発させることで、ミストが空間部分に浮遊して皮膚を湿らせる状態を得られる仕組みである。
【００３６】
このスペーサ３０が取外された装置本体部１０についても、眼及び眼周囲部の正面側に位置させて装置としての使用が可能であり、その場合、伝熱部２０は、眼の周囲部分の皮膚に伝熱可能に直接接触して、皮膚に接した伝熱部２０が皮膚を直接温めたり冷やしたりすることができる仕組みである。この伝熱部２０が眼の周囲の皮膚に直接接触する場合も、伝熱部２０の凹部２１により、伝熱部２０と眼との間には隙間が生じ、眼やまぶたと伝熱部２０は直接接触しないようにされる（図７参照）。
【００３７】
前記液保持部材４０は、シート状の多孔質体、より具体的には、網目状に多数の孔を有するメッシュ体とされ、メッシュ体各部の孔にミスト用液（例えば、水）を保持可能な構成である。この液保持部材４０は、スペーサ３０の伝熱部位置に対応した左右の開口部分に配設されて、スペーサ３０の装置本体部１０への取付け状態で、伝熱部２０と眼との間に位置しつつ伝熱部２０近傍に配設されて、ミスト用液を蒸発可能に保持する構造とされる。特に、この液保持部材４０の眼周囲部下側正面に位置する部位が、伝熱部２０に添う配置とされ、伝熱部２０から熱を伝えられる構成である。
【００３８】
液保持部材４０に対し、ミスト生成部としての伝熱部２０が、液保持部材４０各部の孔に保持されたミスト用液を加熱することで、ミスト用液が蒸発してミスト（スチーム）が生成され、このミストが空間部分に浮遊する状態となる仕組みである。
【００３９】
前記熱源部５０は、通電により吸熱及び発熱するデバイスであり、金属等からなる伝熱部２０に対し熱伝導可能に接触して装置本体部１０に内蔵される構成である。具体的には、熱源部５０自体は、公知のペルチェ素子を用いたものであり、詳細な説明を省略する。この熱源部５０は、装置本体部１０内で制御部１２と電気的に接続されており、操作に基づいて通電状態を調整される。
【００４０】
熱源部５０は、通電により温度を変化させる一方の面を、伝熱部２０と接触させた状態で、制御部１２による制御の下、伝熱部２０と接する面側を発熱状態又は吸熱状態として、伝熱部２０を温める、又は冷やすことで、伝熱部２０に接触する使用者の皮膚７０又は周囲の雰囲気を温め、又は冷やす仕組みである。
【００４１】
熱源部５０は、伝熱部２０の中心より下部寄りとなる部位で伝熱部２０と接しており、この伝熱部の熱源部５０と接する部位は、伝熱部２０における使用者の眼周囲部下側正面にちょうど位置する部位、すなわち、液保持部材４０を用いる場合にこの液保持部材が接近し、且つ、眼の下側の皮膚に直接接触可能となる部位、の近傍に位置することから（図６、図７参照）、伝熱部２０を通じての熱源部５０と液保持部材４０又は皮膚７０との間の熱移動を効率よくスムーズに行わせることができ、ミストの生成や、接触する伝熱部による皮膚の加温又は冷却を、いずれも迅速に実行させられる。
【００４２】
なお、熱源部５０をなすペルチェ素子は、吸熱により伝熱部２０を冷却する場合、伝熱部２０から遠い反対側を逆の発熱状態とし、この発熱側の温度を上昇させるため、適切な放熱で過剰な温度上昇を抑えられるように、ヒートシンク１５やファン（図示を省略）等の放熱用の機構を併設している。冷却使用の長時間化等により放熱が間に合わなくなり、素子の許容可能な最高温度に達した場合には、制御部１２により熱源部５０の冷却に係る作動は、安全のため停止する仕組みである。
【００４３】
前記制御部１２は、装置本体部１０に内蔵され、使用者の操作部１４への入力操作を受けて、熱源部５０への通電による伝熱部２０における温度変化を、それぞれ制御するものである。
制御部１２は、伝熱部から皮膚への温度の伝わり方や伝熱部の温度の異なる複数の作動モードを設定しており、本実施形態においては、ミストを発生させる場合は、加温のみのモードと、加温の後、冷却を行うモードを、伝熱部を直接皮膚に接触させる場合は、加温のみのモードと、冷却のみのモード、並びに加温と冷却を交互に行うモードを、それぞれ実行制御可能となっている。
【００４４】
加温のみのモードでは、制御部１２は熱源部５０を伝熱部側において発熱状態となるよう通電制御する。また、冷却のみのモードでは、制御部１２は熱源部５０を伝熱部側において吸熱状態となるよう通電制御する。一方、加温の後、冷却を行うモードや、加温と冷却を交互に行うモードでは、制御部１２は熱源部５０を所定時間発熱状態とした後、通電状態を切替えて、伝熱部側で吸熱状態となるよう制御し、伝熱部２０の温度を低下させる。
【００４５】
これら各モードの切替えは、操作部１４のモード切替スイッチ１４ｂに対する使用者の入力操作に基づいて行われる。美容装置１０の電源投入直後、使用者が最初にモード切替スイッチ１４ｂを操作すると、制御部１２は複数のモードのいずれかを実行可能な状態となる。
【００４６】
また、制御部１２は、各モードに対応して熱源部５０に通電する場合に、この通電による熱源部の発熱又は吸熱に伴って伝熱部が温度変化する度合いの調整を、操作部１４に別途設けた温度調整用のスイッチに対する使用者の入力操作に基づいて行うようにしてもよい。
【００４７】
次に、本実施形態に係る美容装置の使用状態について説明する。前提として、使用者が美容装置１を使用する姿勢に合わせて、必要に応じ装置保持用の部品が用いられるものとする。すなわち、使用者が顔を上に向けた姿勢となって美容装置を顔の上に載せて使用する場合以外の、装置単独では使用者の眼前への保持が困難な場合には、バンド部１１が併用され、バンド部１１の締付け力で装置を保持するものとする。
【００４８】
そして、ミストを用いて皮膚の加温又は冷却を行う場合には、使用者はあらかじめ液保持部材４０にミスト用液を十分に保持させた状態としてから、液保持部材４０をスペーサ３０に取付け、さらにこの液保持部材４０を一体化したスペーサ３０を装置本体部１０に取り付けておく（図４参照）。
【００４９】
使用者は、最初に、スペーサ３０を取り付けた装置本体部１０を眼の正面側に位置させて装着し、スペーサ３０を眼の周りの皮膚に密着するようにして、眼とその周囲の皮膚の前方にスペーサ３０と装置本体部１０に囲まれて閉じた空間が生じた状態とする（図６参照）。それから、使用者は操作部１４を操作してミストを発生させつつ加温のみ行うモード又は加温と冷却の組合せのモードのいずれかを選択すると、制御部１２は熱源部５０を作動させて伝熱部のある側を発熱状態に移行させる。
【００５０】
熱源部５０が発熱により伝熱部２０の温度を上昇させ、液保持部材４０に保持されたミスト用液にも熱が加わるようになると、ミスト用液が蒸発してミストとなる（図８、図９参照）。この発生したミストが眼の前方の閉じた空間で十分な量に達すると、ミストが眼の周りの皮膚に次々に接触するようになり、皮膚がミストにより温熱を付与される状態となる。そして、眼の前方の閉じた空間内は、ミストの存在により湿潤状態が維持されており、皮膚に潤いを与える状態を維持したまま、皮膚を温めることができる。
【００５１】
使用者が、加温の後に冷却を行う作動モードを選択操作していた場合には、伝熱部２０の温度上昇に伴ってミストが十分発生した状態から、制御部１２による制御に基づき、熱源部５０が新たに吸熱状態に移行し、伝熱部２０の温度を低下させることとなる。伝熱部２０の温度が下がることで、ミスト用液の蒸発によるミスト供給は停止し、温度低下した伝熱部２０との接触で空間内の雰囲気温度も低下する（図９参照）。雰囲気中に浮遊するミストは、冷えた伝熱部２０との接触や雰囲気温度の低下に伴って、その温度を低下させ、一部は凝集しより大きな液滴となる。こうした温度の低下したミストや液滴が皮膚に接することで、皮膚は冷たさを感じる。
【００５２】
熱源部５０の発熱状態から吸熱状態への切替のタイミングは、発生したミストが自然に冷えて凝集し、液滴となる前の、適量のミストが空間を浮遊する状態のうちに実行し、吸熱状態に移行して伝熱部が十分冷えた後でも、一部のミストが空間に残る状態となるようにするのが好ましい。
こうしてミストで皮膚周囲の雰囲気の湿り状態を保ち、皮膚の潤いを維持したまま、温感とは異なる冷感特有の、引締め等の作用を皮膚に与えて、皮膚の活性化が図れることとなる。
【００５３】
装置が作動状態となってからあらかじめ設定された所定時間（例えば、１０分）が経過する、又は、使用者が操作部１４で作動モードを他に切替えるか電源をＯＦＦ状態とすると、制御部１２により熱源部５０への通電が停止し、発熱状態又は吸熱状態が終了する。この後、使用者は眼の正面側に保持されている装置本体部１０を外す。そして、使用者は、液保持部材４０を用いた場合はこれをスペーサ３０から取り外した上で、残留するミスト用液を除去して清浄化し、次の使用に備えるようにするのが望ましい。
【００５４】
一方、伝熱部２０を用いて皮膚への直接的な加温又は冷却を行う場合には、使用者は、あらかじめ装置本体部１０からスペーサ３０を外した状態とし、伝熱部２０が皮膚に当接可能とする（図３、図７参照）。
【００５５】
使用者は、最初に、装置本体部１０を眼の正面側に位置させて装着し、伝熱部２０を眼の周りの皮膚に密着するようにする。この場合、伝熱部２０のちょうど眼に対向する部位は凹部２１となっているため、眼の前方には隙間が生じて、眼やまぶたは伝熱部２０に当たらず、眼に違和感を与えない仕組みである（図７参照）。装着後、使用者は操作部１４を操作して、直接の加温、冷却、又は、加温と冷却の交互実行、のいずれかのモードを選択する。
【００５６】
操作部１４で加温のみ行うモードが選択操作された場合、制御部１２は熱源部５０を作動させて伝熱部のある側を発熱状態に移行させる。熱源部５０が発熱により伝熱部２０の温度を上昇させると、眼の周りの皮膚にも熱が伝わり、皮膚が温熱を付与される状態となる。
【００５７】
また、使用者が操作部１４を操作して冷却のみ行うモードを選択した場合、制御部１２は熱源部５０を吸熱状態とし、伝熱部２０の温度を低下させる。皮膚７０は伝熱部２０と軽く接触しており（図７参照）、低い温度となる伝熱部２０により皮膚７０は熱を奪われ、温度が低下して冷感が生じることとなる。こうして、伝熱部２０と接する部位の皮膚７０が冷却され温度を低下させることにより、皮膚７０が引き締まるなど、皮膚７０に冷却特有の効果を与えられることとなる。
【００５８】
この他、使用者が操作部１４により加温と冷却を交互に行うモード（図１０参照）を選択した場合、制御部１２は熱源部５０の伝熱部側を所定時間発熱状態とし、伝熱部２０を通じて眼の周りの皮膚への加温を行う。この後、熱源部５０を吸熱状態とし、伝熱部２０の温度を低下させ、伝熱部２０と接触している皮膚７０を冷却する。こうした加温と冷却が交互に繰り返されることで、皮膚７０に対し温冷の温度変化に基づく効果を与えられることとなる。
【００５９】
装置が作動状態となってからあらかじめ設定された所定時間が経過する、又は、使用者が操作部１４で電源をＯＦＦ状態として皮膚の加温や冷却を中断すると、制御部により熱源部５０への通電が停止し、発熱状態又は吸熱状態が終了する。この後、装置の使用を完全に終える場合、使用者は眼の正面側に保持されている装置本体部１０を外す。使用の後、使用者は伝熱部２０表面を清浄化し、次の使用に備えるようにするのが望ましい。
【００６０】
このように、本実施形態に係る美容装置は、スペーサ３０で液保持部材４０を支持して、熱源部５０で生じさせた熱を伝熱部２０を介して液保持部材４０のミスト用液に伝え、温められたミストを生じさせ、ミストで眼の周囲の皮膚を温める状態と、液保持部材４０を設けず、伝熱部２０を直接眼の周りの皮膚に接触させ、皮膚を温める状態とを選択可能とすることから、使用状況に応じて加温状態を選択でき、ミストで眼の周囲の皮膚を温める場合には、眼の周囲に湿分の十分に存在する環境を維持した状態で温熱効果を与えることができ、眼の周囲の皮膚で潤いを確実に保持しながら血行を促進して美容効果を向上させられる。一方、使用者の皮膚に直接伝熱部２０を当接させて温熱を付与する場合は、液保持部材４０やミスト用液を用意する手間が不要となり、簡易且つ速やかに温熱付与を実行でき、リラックス感を損なうことなく温熱による美容効果を得られる。
【００６１】
なお、前記実施形態に係る美容装置において、ミストを発生させず、伝熱部２０で皮膚への直接的な加温や冷却を行う場合には、装置本体部１０にスペーサ３０を取付けずに用いて、伝熱部２０を眼の周囲（上下左右）の皮膚にそれぞれ接触させる構成としているが、これに限られるものではなく、伝熱部２０を、眼の周囲部分のうち少なくとも眼より下側の部分の皮膚に接触可能に配設する構成としてもかまわない。こうして伝熱部が直接接して加温や冷却を行う皮膚として、いわゆる目もとで特に目立つ眼の下側部分の皮膚を少なくとも対象とすれば、加温や冷却による美容効果を期待できる。
【００６２】
この場合、液保持部材４０をスペーサ３０に取付けて併用する際にも、伝熱部２０における眼の周囲部分のうち少なくとも眼より下側の部分の皮膚に対向する部位が、最も皮膚側に近付く状態となることで、液保持部材４０における使用者の眼の下側部分の正面に位置する部位が、確実に伝熱部２０に添う配置となって、伝熱部２０の熱をより効率よく受取ることとなり、この部位でミスト用液を効率よく温めて蒸発させ、生成したミストをそのまま上方へ向かわせて眼の周囲の皮膚各部に適切に到達させることができ、皮膚へ効率よくミストを供給してミストによる美容効果を確保できる。
【００６３】
また、前記実施形態に係る美容装置において、熱源部５０を発熱及び吸熱可能なデバイスとして、この熱源部５０を作動させ、伝熱部２０を通じミストを発生させて、あるいは伝熱部２０で皮膚に直接的に温度変化をもたらして、皮膚に対し加温や冷却を行える構成としているが、これに限らず、熱源部を作動により温度上昇のみ生じさせるものとして、ミストで又は伝熱部２０から直接に、皮膚の加温のみ行える構成とすることもできる。
この場合、熱源部としては、例えば、通電により発熱する公知のヒータを配設して、ヒータから伝熱部側への熱伝導を生じさせる構成としてもよく、単純な機構に基づく簡略な装置構成として低コスト化が図れる。
【００６４】
また、前記実施形態に係る美容装置において、ミストを発生させず、伝熱部２０で皮膚への直接的な加温又は冷却を行うために、液保持部材４０を用いない場合には、装置本体部１０にスペーサ３０を取り付けないままで、装置本体部１０を眼の正面側に位置させて装置の装着を行う構成としているが、これに限らず、伝熱部２０で皮膚への直接的な加温又は冷却を行い、液保持部材４０を用いない場合でも、図１１に示すように、液保持部材を支持するものとは別のスペーサ３１を装置本体部１０に取り付けるようにする構成とすることもできる。
【００６５】
この場合、装着状態で眼の周りの皮膚に接する伝熱部２０の周囲にスペーサ３１が位置して、伝熱部同様に皮膚に接することから、装置と皮膚との接触面積が増えて装着が安定し、使用者がどのような姿勢でも、装置がずれることなく眼前に保持されることとなる。また、接触面積が増えて力が分散される分、装置が肌に食い込むようなこともなく、接触が緩やかで装着感も優れたものとなる。
【００６６】
また、前記実施形態に係る美容装置においては、ミスト生成部として、伝熱部２０が液保持部材４０に保持されたミスト用液を加熱して蒸発させ、ミストを発生させる構成としているが、これに限らず、伝熱部と異なるミスト生成部を設ける構成とすることもできる。例えば、ミスト用液を保持する液保持部材の近傍に、ミスト生成部として超音波振動子を配設し、伝熱部を通じて温めた又は冷やしたミスト用液に対し、超音波振動子を作動させてミストを生じさせる構成としてもかまわない。
【００６７】
（本発明の第２の実施形態）
前記第１の実施形態に係る美容装置において、装置本体部１０に取り付けられるスペーサ３０は、装置を眼前に装着使用する状態で、その厚みにより装置本体部と眼の周囲の皮膚との間に所定の間隔を与えて、装置本体部１０の伝熱部２０と眼及び眼の周囲の皮膚との間に、ほぼ密閉された空間を生じさせる点以外、特別な機能を付与されない構成としているが、この他、図１２に示すように、スペーサ３２における、装置本体部１０への取付状態で使用者の眼より下側に位置する部分に、中空部３３を設けると共に、この中空部３３のあるスペーサ３２の眼より下側の部分における、使用者の皮膚及び装置本体部１０に接触しない上面部分の一又は複数箇所に、中空部３３に通じる貫通孔部３３ａを設けて、液滴を流入させて溜める液滴受部とすることもできる。
【００６８】
この場合、液保持部材４３を伝熱部２０近傍に配設してミストを生成する状態で、液滴として流れ落ちるミスト由来の液分を、貫通孔部３３ａを通じてスペーサ３２の中空部３３内部に流入させ、こうした液分を中空部３３に貯溜可能となる。こうして、ミスト生成状態でミストが冷えて液滴となったものをスペーサ３２の中空部３３に流入させて溜めることで、ミスト由来の液分が皮膚や装置内周面を伝ってそのまま装置外部に流れ出るのを抑えられ、使用者の眼の周囲以外の部位や使用者の周囲に液分が達して悪影響を及ぼす事態を未然に防止できる。
【００６９】
なお、ミスト由来の液分を流入させるスペーサ３２の中空部３３に、液保持部材の一部を延長配設し、液分を液保持部材に移行させて、伝熱部により加熱可能な状態であらためて液保持部材に保持させる構成とすることもでき、液分を再びミスト生成に有効に利用できる。また、このような構成において、ミスト由来の液分を貯溜可能なスペーサの中空部の容量を一定量確保して、中空部にミスト用液を導入、貯溜した際に所定時間連続してミストを発生可能とすることもでき、この場合、装置を眼前に装着して前記実施形態同様に使用する他、装着せずに装置を作動させて、発生したミストを装置のある室内空間にそのまま拡散させる、いわゆる加湿器として使用することもできる。
【００７０】
液滴受部としては、中空部３３に限られるものではなく、スペーサにおける、装置本体部への取付状態で使用者の眼より下側に位置する部分で、ミスト由来の液滴を流入させて溜め、外部に流れ出るのを防止できる構成であればよく、より簡略な凹部や溝部としたり、スペーサと別部材との組合せで液分の貯溜領域を生じさせるようなものでもかまわない。
【００７１】
（本発明の第３の実施形態）
前記第１の実施形態に係る美容装置において、液保持部材４０はスペーサ３０に一体に取付けられて伝熱部近傍に支持される構成としているが、これに限らず、図１３に示すように、液保持部材として、容易に取り替え可能な多孔質シート体を用いると共に、こうした液保持部材４４を枠状のスペーサ３４と伝熱部２０又は装置本体部１０との間に挟み込んで支持固定する構成とすることもできる。
【００７２】
この場合、スペーサ３４の装置本体部１０への取付けに際し、ミスト用液を染み込ませ保持させた液保持部材４４を、スペーサ３４と伝熱部２０又は装置本体部１０との間に挟み込むようにして伝熱部２０近傍に位置させられ、液保持部材４４を簡略な支持状態で伝熱部近傍に位置させて伝熱部２０からの熱でミストを発生可能となり、液保持部材４４の配置に係る装置本体部１０及びスペーサ３４の構造をさらに簡略化してコストダウンが図れると共に、液保持部材４４の伝熱部近傍への配設や液保持部材４４へのミスト用液導入を容易に行え、使用者にとって取扱いやすく、使い勝手を向上させられる。
【００７３】
なお、スペーサは、多孔質シート体である液保持部材４４の周縁部を押えるなどして、液保持部材４４を伝熱部２０に添わせる配置で支持できるものであれば、スペーサは完全に装置本体部１０から分離されて、装置本体部１０に対し取付け取外し可能な構成に限られるものではなく、図１４ないし図１６に示すように、スペーサ３５、３６、３７が装置本体部に傾動可能に蝶着あるいは軸支されて一体化され、スペーサ３５、３６、３７を装置本体部に対し開閉可能として、スペーサ３５、３６、３７と装置本体部間に液保持部材４４を挟み込んで支持する構成とすることもできる。そして、このようにスペーサを装置本体部に対し開閉可能とする構成とする場合、例えば、スペーサ３５を左右二分割構造とし中心の鼻前位置で装置本体部１６に蝶着又は軸支する構成（図１４参照）や、スペーサ３６を左右二分割構造として左右端部でそれぞれ装置本体部１７に蝶着又は軸支して観音開き状に開閉する構成（図１５参照）や、スペーサ３７をその上端部又は下端部で装置本体部１８に蝶着又は軸支して上下に開閉する構成（図１６参照）等を採用することができる。
【００７４】
さらに、上記各例のように、液保持部材４４をスペーサ３５、３６、３７と装置本体部との間に挟み込むようにして支持する構造を用いる場合に、液保持部材４４を用いずに伝熱部２０で皮膚への直接的な加温や冷却を行う際には、液保持部材４４が介在しない状態のスペーサ位置がより装置本体部１０寄りとなるようにして、伝熱部位置を相対的に皮膚寄りとし、スペーサ３４が装置本体部１０に取付けられたままでも、伝熱部２０を直接皮膚に接触させられる構成とすることもでき、伝熱部２０による直接的な皮膚への加温又は冷却の際にスペーサ３４を取外す手間が省けると共に、伝熱部２０の周囲にスペーサ３４が位置して、伝熱部同様に皮膚に接することから、装置と皮膚との接触面積が増えて装着が安定し、ずれにくくなる上、接触に伴う皮膚への圧力が分散され、装置が皮膚に食い込まず装着感も優れたものにできる。
【００７５】
（本発明の第４の実施形態）
前記第１の実施形態に係る美容装置において、液保持部材４０を支持するスペーサ３０は装置本体部１０に対し取付け取外し可能として、ミスト発生のために液保持部材４０を用いる場合はスペーサ３０を装置本体部１０に取り付けた状態とし、伝熱部２０を直接皮膚に接触させる場合はスペーサ３０を装置本体部１０から取外した状態とする構成としているが、これに限らず、第４の実施形態として、図１７に示すように、スペーサ３８を装置本体部１９に対し進退して突出量調整可能に突出配設される枠状部材として、スペーサ３８を装置本体部１９と一体化し、ミスト発生のために液保持部材４５を用いる場合は、装置本体部１９に対し所定量突出させたスペーサ３８に液保持部材４５を取り付けた状態とし、伝熱部２０を直接皮膚に接触させる場合は装置本体部１９に対しスペーサ３８を退行させて伝熱部２０が皮膚と接触可能な状態を得る構成とすることもできる。
【００７６】
詳細には、前記装置本体部１９は、前記第１の実施形態と同様、左右一体のゴーグル状に使用者の左右の眼及び眼の周囲を前方から覆う形状として形成される構成であり、異なる点として、眼に対向する部位に略枠状のスペーサ３８を進退可能に組み込まれる構成を有するものである。
【００７７】
前記スペーサ３８は、断熱性のあるシリコンゴム製枠状体とされて、装置本体部１９の眼対向面側における伝熱部２０周囲に、装置本体部１９に対し進退して突出量調整可能に突出配設され、装置本体部１９からの突出状態で使用者の眼の周囲の皮膚における被覆対象部分外縁に接触可能とされる構成である。
この装置本体部１９における、スペーサを一体に組み込まれる点以外の構成については、前記第１の実施形態と同様のものであり、詳細な説明を省略する。
【００７８】
装置本体部１９からスペーサ３８をあらかじめ設定された所定量突出させ（図１７（Ａ）参照）、装置本体部１９を眼及び眼周囲部の正面側に位置させて装置を装着使用する状態では、前記第１の実施形態同様、スペーサ３８は眼の周囲の皮膚にほぼ密着し、装置本体部１９の伝熱部２０と眼及び眼の周囲の皮膚との間に、ほぼ密閉された空間を生じさせる。そして、この空間部分に対し、伝熱部２０が、液保持部材４５の保持するミスト用液を蒸発させることで、ミストが空間部分に浮遊して皮膚を湿らせる状態を得られる仕組みである。
【００７９】
前記液保持部材４５は、スペーサ３８の装置本体部１９からの突出状態（図１７（Ａ）参照）で、このスペーサ３８の開口部分に対し取付け取外し可能とされ、スペーサ３８への取付け状態で、伝熱部２０と眼との間に位置しつつ伝熱部２０近傍に配設されて、ミスト用液を蒸発可能に保持する構造とされる。液保持部材４５そのものは、前記第１の実施形態同様、網目状に多数の孔を有するメッシュ体とされ、このメッシュ体各部の孔にミスト用液を保持する仕組みである。
【００８０】
一方、液保持部材４５を用いない場合で、スペーサ３８を退行させ突出量を抑えた装置本体部１９についても（図１７（Ｂ）参照）、眼及び眼周囲部の正面側に位置させて装置としての使用が可能であり、その場合、伝熱部２０は、眼の周囲部分の皮膚に伝熱可能に直接接触して、皮膚に接した伝熱部２０が皮膚を直接温めたり冷やしたりすることができる仕組みである。
【００８１】
このように、本実施形態に係る美容装置は、装置本体部１９から突出するスペーサ３８で液保持部材４５を支持して、熱源部５０で生じさせた熱を伝熱部２０を介して液保持部材４５のミスト用液に伝え、温められたミストを生じさせ、ミストで眼の周囲の皮膚を温める状態と、液保持部材４５を設けず、スペーサ３８を退行させて伝熱部２０を直接眼の周りの皮膚に接触させ、皮膚を温める状態とを選択可能とすることから、前記第１の実施形態と同様に、使用状況に応じて加温状態を選択でき、ミストで眼の周囲の皮膚を温める場合には、眼の周囲に湿分の十分に存在する環境を維持した状態で温熱効果を与えることができ、眼の周囲の皮膚で潤いを確実に保持しながら血行を促進して美容効果を向上させられる。一方、使用者の皮膚に直接伝熱部２０を当接させて温熱を付与する場合は、液保持部材４５やミスト用液を用意する手間が不要となり、簡易且つ速やかに温熱付与を実行でき、リラックス感を損なうことなく温熱による美容効果を得られる。
【符号の説明】
【００８２】
１          美容装置
１０        装置本体部
１１        バンド部
１２        制御部
１３        電池
１４        操作部
１４ａ      電源スイッチ
１４ｂ      モード切替スイッチ
１５        ヒートシンク
１６、１７  装置本体部
１８、１９  装置本体部
２０        伝熱部
３０、３１  スペーサ
３２        スペーサ
３３        中空部
３３ａ      貫通孔部
３４、３５  スペーサ
３６、３７  スペーサ
３８        スペーサ
４０、４５  液保持部材
４４        液保持部材
５０        熱源部
７０        皮膚
【図１】
2016022017.tif 000003
【図２】
2016022017.tif 000004
【図３】
2016022017.tif 000005
【図４】
2016022017.tif 000006
【図５】
2016022017.tif 000007
【図６】
2016022017.tif 000008
【図７】
2016022017.tif 000009
【図８】
2016022017.tif 000010
【図９】
2016022017.tif 000011
【図１０】
2016022017.tif 000012
【図１１】
2016022017.tif 000013
【図１２】
2016022017.tif 000014
【図１３】
2016022017.tif 000015
【図１４】
2016022017.tif 000016
【図１５】
2016022017.tif 000017
【図１６】
2016022017.tif 000018
【図１７】
2016022017.tif 000019